Podtech/llm-jp-corpus-v4-ja_patent huggingface dataset:
【手続補正書】
【提出日】平成16年8月4日(2004.8.4)
【手続補正１】
【補正対象書類名】特許請求の範囲
【補正対象項目名】全文
【補正方法】変更
【補正の内容】
【特許請求の範囲】
【請求項１】
人体管腔にステント植込みするためのカテーテルであって、
近位端部と遠位端部とを有するカテーテル本体と、
カテーテル本体の遠位端部の近くに保持された少なくとも３つの個々のステントと、
人体内のカテーテル本体から個別にまたはグループでステントを展開させるための展開手段と
を含む前記カテーテル。
【請求項２】
展開手段が、カテーテル本体の中に往復動可能に取り付けられた単一のバルーンと、バルーンの上にステントを順次載せるためのプッシャとを含む請求項１に記載のカテーテル。
【請求項３】
展開手段が半径方向の押さえつけ手段を含み、押さえつけ手段はステントを半径方向に潰した形態で保持し、選択的に引っ込められて個別にまたはグループでステントを解放することができる請求項１に記載のカテーテル。
【請求項４】
展開手段が、半径方向に潰した形態でステントを保持する半径方向への押さえつけ手段と、ステントを適所に保持するプッシャを含み、半径方向の押さえつけ手段が引っ込められてステントをカテーテル本体の遠位端部から個別にまたはグループで露出させる請求項１に記載のカテーテル。
【請求項５】
半径方向への押さえつけ手段が、近位ステントを遠位ステントから分離するために近位ステントの遠位端部に係合するバルブ部材を、遠位端部に有するシースを含む請求項４に記載のカテーテル。
【請求項６】
ステントが少なくとも１つの薬剤によって覆われている請求項１に記載のカテーテル。
【請求項７】
薬剤が過形成を阻止する請求項６に記載のカテーテル。
【請求項８】
薬剤が生物学的に活性である請求項７に記載のカテーテル。
【請求項９】
生物学的に活性の薬剤が、パクリタキセル、メトトレキサート、およびバチマスタルなどの抗新生物薬、ドキシサイクリン、テトラサイクリン、ラパマイシン、およびアクチノマイシンなどの抗生物質、デクサメタゾーンおよびメチル・プレドニゾロンなどの免疫抑制剤、ニトロプルシッドなどの窒素酸化物源、エストロゲン、およびエストラジオールからなるグループから選択される請求項８に記載のカテーテル。
【請求項１０】
薬剤が生物学的に不活性である請求項７に記載のカテーテル。
【請求項１１】
生物学的に不活性の薬剤が、コラーゲン、ＰＥＧ、ＰＧＡ、セラミック物質、白金、および金からなるグループから選択される請求項１０に記載のカテーテル。
【請求項１２】
ステントが少なくとも部分的に生体内吸収性材料から構成されている請求項１に記載のカテーテル。
【請求項１３】
生物学的に活性の物質が生体内吸収性材料の中に配置され、材料が劣化するにつれて時間とともに放出される請求項１２に記載のカテーテル。
【請求項１４】
生物学的に活性の物質が、生体内非吸収性材料からなる骨組の上または内部に形成されている請求項１２または１３に記載のカテーテル。
【請求項１５】
複数の膨張可能なプロテーゼを人体管腔の中に送達するためのカテーテルであって、
近位端部と遠位端部とを有するカテーテル本体と、
カテーテル本体の上を覆って同軸に配置されたシースと、
シース内部においてカテーテルの遠位部分すべてを覆って配置された半径方向に膨張可能な複数のプロテーゼと
を含み、
シースが、カテーテル本体とプロテーゼとに対して近位方向に引っ込められて、シースの遠位端部の先でプロテーゼを露出させることができる前記カテーテル。
【請求項１６】
シースの中に、プロテーゼの近くに、カテーテル本体を覆って同軸に配置されたプッシャ・チューブをさらに含み、プッシャ・チューブは最近位プロテーゼの近位端部に係合され、プッシャ・チューブは適所に保持され、シースが近位方向に引っ込められたときに、個別プロテーゼまたはプロテーゼのグループを露出させることができる請求項１５に記載のカテーテル。
【請求項１７】
プッシャ・チューブの少なくとも遠位部分が、カテーテル本体のコラム強度よりも大きなコラム強度を有する請求項１６に記載のカテーテル。
【請求項１８】
プロテーゼが端と端を接して配置され、物理的連係なしに隣接している請求項１５から１７までに記載のカテーテル。
【請求項１９】
プロテーゼが端と端を接して物理的連係を伴って、少なくともいくつかの隣接プロテーゼ対の間に配置されている請求項１５から１７までに記載のカテーテル。
【請求項２０】
物理的連係が、破壊することなく分離することができる雄エレメントと雌エレメントとを含む請求項１９までに記載のカテーテル。
【請求項２１】
物理的連係が破壊によって分離される請求項１９に記載のカテーテル。
【請求項２２】
カテーテル本体がその遠位端部の近くに膨張エレメントを含み、その膨張エレメントは引っ込み可能なシースに対して遠位に位置決め可能であり、プロテーゼの１つまたは複数を半径方向に膨張させる請求項１５から１７までに記載のカテーテル。
【請求項２３】
膨張エレメントが、プロテーゼを保持して膨らむことができるバルーンを含み、シースはバルーンに対して引っ込めて予め選択された個数のプロテーゼとバルーンの長さを露出させることができ、露出したプロテーゼとバルーンの長さを選択的に膨張させることができる請求項２２に記載のカテーテル。
【請求項２４】
バルーンが潤滑性の外表面を有する請求項２３に記載のカテーテル。
【請求項２５】
プロテーゼの遠位端部を、予め選択された個数のプロテーゼの最近位プロテーゼに隣接して係合するために、シースの遠位端部にバルブ部材をさらに含む請求項２３に記載のカテーテル。
【請求項２６】
バルブ部材が、シースとプッシャとが引っ込められたときに、隣接プロテーゼの遠位端部と最近位プロテーゼとの間を分離する請求項２５に記載のカテーテル。
【請求項２７】
シースが潤滑性の外側表面を有する請求項１５から１７までに記載のカテーテル。
【請求項２８】
シースが潤滑性の内側表面を有する請求項１５から１７までに記載のカテーテル。
【請求項２９】
前記複数のプロテーゼから破壊可能な連係部によって物理的に連接された個別のプロテーゼをせん断するための手段をさらに含む請求項１５から１７までに記載のカテーテル。
【請求項３０】
前記切断手段が、カテーテル本体の遠位領域のせん断エレメントと、シースの遠位領域に設けられたせん断エレメントとを含み、（１）カテーテル本体がシースに対して遠位方向に進められて、１つまたは複数のプロテーゼの前進させ、（２）カテーテル本体がせん断エレメントが破壊可能な連係部をせん断するようにシースに対して近位方向に引っ込められる請求項２９に記載のカテーテル。
【手続補正書】
【提出日】平成16年8月4日(2004.8.4)
【手続補正１】
【補正対象書類名】特許請求の範囲
【補正対象項目名】全文
【補正方法】変更
【補正の内容】
【特許請求の範囲】
【請求項１】
蜂蜜及び吸湿剤を含む創傷包帯であって、以下の：
蜂蜜と吸湿剤の混合物から成る創傷接触層；
水浸透性織物裏打ち層；及び
蜂蜜と吸湿剤の混合物を染み込ませた水浸透性織物を含む中間層
をもつことを特徴とする前記創傷包帯。
【請求項２】
前記包帯が、液体の水を実質的に通さないが、水蒸気を実質的を浸透させうることを特徴とする、請求項１に記載の創傷包帯。
【請求項３】
前記包帯が、ガンマ線照射後であっても、液体の水を実質的に通さないが、水蒸気を実質的に浸透させうることを特徴とする、請求項２に記載の創傷包帯。
【請求項４】
前記吸湿剤の個性及び上記吸湿剤に対する蜂蜜の割合が、前記創傷接触層が実質的に均一な固形シートを形成するように選ばれることを特徴とする、請求項１〜３のいずれか１項に記載の創傷包帯。
【請求項５】
前記創傷接触層と前記中間層が、第１の連続相を形成し、かつ、前記織物層と上記中間層が第２の連続相を形成し、そして上記第１の連続相と上記第２の連続相が重なって上記中間層を形成することを特徴とする、請求項１〜４のいずれか１項に記載の創傷包帯。
【請求項６】
前記中間層が１００μｍ〜１，０００μｍの厚みをもつことを特徴とする、請求項５に記載の創傷包帯。
【請求項７】
前記中間層が２００μｍ〜５００μｍの厚みをもつことを特徴とする、請求項６に記載の創傷包帯。
【請求項８】
前記創傷接触層が織物を含まず、かつ、前記織物層が蜂蜜を含まないことを特徴とする、請求項５〜７のいずれか１項に記載の創傷包帯。
【請求項９】
前記創傷接触層及び中間層における吸湿剤対蜂蜜の重量比が、１：２〜１：１４であることを特徴とする、請求項１〜８のいずれか１項に記載の創傷包帯。
【請求項１０】
前記の比が、１：４〜１：１０の範囲内にあることを特徴とする、請求項９に記載の創傷包帯。
【請求項１１】
前記の比が、１：４〜１：５の範囲内にあることを特徴とする、請求項１０に記載の創傷包帯。
【請求項１２】
前記吸湿剤が、アルギン酸塩又はカルボキシメチルセルロースの粉末であることを特徴とする、請求項１〜１１のいずれか１項に記載の創傷包帯。
【請求項１３】
前記アルギン酸塩がアルギン酸ナトリウムであることを特徴とする、請求項１２に記載の創傷包帯。
【請求項１４】
１００ｃｍ2当り少なくとも２０ｇの２４時間の水蒸気透過度、及び１００ｃｍ2当り少なくとも３５ｇの２４時間の総流体処理容量を有することを特徴とする、請求項１〜１３のいずれか１項に記載の創傷包帯。
【請求項１５】
前記織物裏打ち層に付されるか又はそれと一体となった粘着層をさらに含むことを特徴とする、請求項１〜１４のいずれか１項に記載の創傷包帯であって、上記粘着層が、前記創傷接触層の外周を越えて横方向外側に広がり、そして上記の外側への拡張部の、上記創傷接触層の向きに配置されたその表面に接着材を供して、治療されるべき創傷を囲む、包帯が貼り付けられる患者の皮膚領域に、上記接着層の粘着作用を提供する前記創傷包帯。
【請求項１６】
前記織物裏打ち層の少なくとも大部分が、前記粘着層によって覆われていないことを特徴とする、請求項１５に記載の創傷包帯。
【請求項１７】
前記包帯が、ガンマ線照射されていることを特徴とする、請求項１〜１６のいずれか１項に記載の創傷包帯。
【請求項１８】
前記包帯が、少なくとも２５ｋＧｙまでガンマ線照射されることを特徴とする、請求項１７に記載の創傷包帯。
【請求項１９】
創傷包帯の製造方法であって、以下のステップ： 
水浸透性織物材料の層を準備し；
蜂蜜と吸湿剤の混合物を準備し；
上記織物層の上に上記混合物を広げ；
上記織物層の上部副層に、上記混合物の一部を染み込ませ；そして
上記混合物を凝固させ、それにより蜂蜜と吸湿剤の混合物から成る創傷接触層、水浸透性織物裏打ち層、及び上記の蜂蜜と吸湿剤の混合物を染み込ませた織物を含む中間層を含む包帯を作り出す、
を含む前記方法。
【請求項２０】
前記の蜂蜜と吸湿剤の混合物を、前記織物層に、１００μｍ〜１，０００μｍの深さまで染み込ませることを特徴とする、請求項１９に記載の方法。
【請求項２１】
前記創傷接触層の外周を越えて横方向外側に広がり、そして上記外側への拡張部の、上記創傷接触層の向きに配置されたその表面に接着材を供した粘着層を、前記織物層に取り付けて、治療される創傷を囲む包帯が貼り付けられる患者の皮膚領域に、上記粘着層の粘着作用を提供するステップをさらに含むことを特徴とする、請求項１９又は２０に記載の方法。
【請求項２２】
前記粘着層が、前記織物層の少なくとも大部分を覆わないことを特徴とする、請求項２１に記載の方法。
【請求項２３】
前記包帯がガンマ線照射されることを特徴とする、請求項１９〜２２のいずれか１項に記載の方法。
【請求項２４】
前記の蜂蜜と吸湿剤の混合物が、双軸スクリュー押出機による連続的な混合によって準備されることを特徴とする、請求項１９〜２３のいずれか１項に記載の方法。
【請求項２５】
前記混合が、その期間を短くする一連の温度帯をもつ双軸スクリュー押出機によって実施されることを特徴とする、請求項２４に記載の方法。
【請求項２６】
前記の蜂蜜と吸湿剤の混合物が、前記双軸スクリュー押出機を用いた押出しによってゲル化が直ちに起こり始めるような温度で準備されることを特徴とする、請求項２４又は２５に記載の方法。
【請求項２７】
前記の蜂蜜と吸湿剤の混合物が、約７５℃〜約８０℃の温度で準備されることを特徴とする、請求項２４又は２５に記載の方法。
【請求項２８】
前記の蜂蜜と吸湿剤の混合物が、支持紙上に置かれることを特徴とする、請求項２４〜２７のいずれか１項に記載の方法。
【請求項２９】
支持紙上に置かれた前記の蜂蜜と吸湿剤の混合物を、前記水透過性織物材料層と直に接触した状態でカレンダ・ロールに通し、それにより上記混合物による上記織物材料の部分的な含浸を達成することを特徴とする、請求項２８に記載の方法。
【請求項３０】
前記水透過性織物材料層を、裏打ち剥離紙と一緒にカレンダ・ロールに通すことを特徴とする、請求項２９に記載の方法。
【手続補正書】
【提出日】平成16年11月26日(2004.11.26)
【手続補正１】
【補正対象書類名】特許請求の範囲
【補正対象項目名】全文
【補正方法】変更
【補正の内容】
【特許請求の範囲】
【請求項１】
モノマー、コモノマー、ホモポリマー、オリゴマー、またはその混合物を含有する硬化可能な流動性の物質（２）がその中にある生体適合性エンベロープ（１）を有し、前記エンベロープ（１）が、隣接した椎体（１１、１２）のカバープレート（１３、１４）への添加のための特定の壁（６、７）にその他の壁領域におけるよりも厚く形成されていることを特徴とする、椎間板プロテーゼまたは核代替プロテーゼ。  
【請求項２】
前記物質（２）が光開始剤、好ましくは光ラジカル開始剤を含有することを特徴とする、請求項１に記載の椎間板プロテーゼ。
【請求項３】
前記光開始剤が、好ましくは約３４０〜４２０ｎｍの範囲の光を吸収することを特徴とする、請求項２に記載の椎間板プロテーゼ。
【請求項４】
前記光開始剤が、ホスフィンオキシド、好ましくはアシルホスフィンオキシドであることを特徴とする、請求項２または３に記載の椎間板プロテーゼ。
【請求項５】
前記ホスフィンオキシドがジメチルアクリルアミドと共重合化されることを特徴とする、請求項４に記載の椎間板プロテーゼ。
【請求項６】
前記モノマー、前記コモノマー、前記ホモポリマー、前記オリゴマー、またはその前記混合物が、
ａ）ポリエチレングリコール、好ましくはポリエチレングリコール（ジ）アクリレート、
ｂ）Ｎ−ビニルピロリドン、および
ｃ）ビニル、好ましくはビニルアルコール、および
ｄ）スチレン
からなる群から選択されることを特徴とする、請求項１〜５のいずれか１つに記載の椎間板プロテーゼ。
【請求項７】
前記物質（２）が、３０〜１６０重量％、好ましくは４０〜９０重量％の水を含有することを特徴とする、請求項１〜６のいずれか１つに記載の椎間板プロテーゼ。
【請求項８】
前記物質（２）がヒドロゲルを含有することを特徴とする、請求項１〜７のいずれか１つに記載の椎間板プロテーゼ。
【請求項９】
前記エンベロープ（１）が二重壁で形成され、前記物質（２）が両壁（３、４）間に導入されており、椎間板プロテーゼの中心（５）が中空であることを特徴とする、請求項１〜８のいずれか１つに記載の椎間板プロテーゼ。
【請求項１０】
前記エンベロープ（１）がメモリー効果を有する物質で構成され、体温によって前もって記憶された幾何学的形を取り入れることを特徴とする、請求項１〜９のいずれか１つに記載の椎間板プロテーゼ。
【請求項１１】
前記物質（２）が、重合触媒、好ましくは追加的に重合促進剤を含有することを特徴とする、請求項１または６〜１０のいずれか１つに記載の椎間板プロテーゼ。
【請求項１２】
前記エンベロープ（１）が、前記エンベロープ（１）内にある前記物質（２）と化学的に同じ材料で構成されることを特徴とする、請求項１〜１１のいずれか１つに記載の椎間板プロテーゼ。
【請求項１３】
隣接した前記椎体（１１、１２）の前記カバープレート（１３、１４）への添加のための特定の前記壁（６、７）が、ポリカーボネートウレタン（ＰＣＵ）またはポリカーボネートで構成されていることを特徴とする、請求項１〜１１のいずれか１つに記載の椎間板プロテーゼ。
【請求項１４】
以下の方法ステップ、すなわち、
Ａ）２つの隣接した椎体（１１、１２）の椎間腔（１０）へ生体適合性エンベロープ（１）を植込むステップと、
Ｂ）モノマー、コモノマー、オリゴマー、またはその混合物を含有する硬化可能な流動性の物質（２）を植込まれた前記生体適合性エンベロープ（１）の内部へ導入し、ここで充填された前記エンベロープ（１）は前記椎間腔（１０）内で中心に置かれているステップと、
Ｃ）前記エンベロープ（１）内にある硬化可能な流動性の前記物質（２）を原位置で硬化させるステップ、
を特徴とする、椎間板プロテーゼまたは核代替プロテーゼを製造するための方法。
【請求項１５】
前記物質（２）の硬化が、光重合、好ましくは可視光または紫外線光によって行われることを特徴とする、請求項１４に記載の方法。
【請求項１６】
前記エンベロープ（１）が、ステップＡとＢとの間で空気で膨張されることを特徴とする、請求項１４または１５に記載の方法。
【請求項１７】
前記エンベロープ（１）が、ステップＡとＢとの間でレントゲン造影剤で充填されることを特徴とする、請求項１４または１５に記載の方法。
【請求項１８】
前記物質（２）の硬化が自家重合によって行われることを特徴とする、請求項１４〜１７のいずれか１つに記載の方法。
【請求項１９】
前記物質（２）が、実質的に超過気圧なしに前記エンベロープ（１）へ取り入れられることを特徴とする、請求項１４〜１８のいずれか１つに記載の方法。
【請求項２０】
前記物質（２）が、３気圧以下、好ましくは最大１．１気圧の超過気圧で前記エンベロープ（１）へ取り入れられることを特徴とする、請求項１４〜１９のいずれか１つに記載の方法。
【手続補正書】
【提出日】平成16年8月18日(2004.8.18)
【手続補正１】
【補正対象書類名】特許請求の範囲
【補正対象項目名】全文
【補正方法】変更
【補正の内容】
【特許請求の範囲】
【請求項１】
以下のステップ：
（ａ）  無脂固形分（ＳＮＦ）を基準に少なくとも６０％のタンパク質を含むＭＰＣ及び／又はホエー・タンパク質調整ＭＰＣを、脂肪と一緒に混合して、脂肪で覆われたタンパク質粒子のペーストを形成し；
（ｂ）  上記ペーストを水和、及び酸性化して、約４．５〜６．０のｐＨを有する混合物を形成し；そして
（ｃ）  均一な塊を形成するまで上記混合物を加熱、及び混合して、０．６〜３．０のタンパク質対水の比を有する乳製品を製造する、
を含む乳製品の製造方法。
【請求項２】
前記乳製品のタンパク質：水の比が、０．７５〜３．０である、請求項１に記載の方法。
【請求項３】
前記乳製品のタンパク質：水の比が、１．０〜３．０である、請求項２に記載の方法。
【請求項４】
前記乳製品のタンパク質：水の比が、１．５〜３．０である、請求項３に記載の方法。
【請求項５】
塩（ＮａＣｌ）が、前記ステップ（ａ）〜（ｃ）のいずれか１以上で、前記成分と混合される、請求項１に記載の方法。
【請求項６】
前記のＭＰＣ及び／又はホエー・タンパク質調整ＭＰＣと、脂肪が、０〜６０℃の温度で、ステップ（ａ）において混合される、請求項１〜４のいずれか１項に記載の方法。
【請求項７】
前記のＭＰＣと脂肪が、３５〜５５℃の温度で、前記ステップ（ａ）において混合される、請求項６に記載の方法。
【請求項８】
前記のＭＰＣ及び／又はホエー・タンパク質調整ＭＰＣが、乾かされ、そして粉末の形態で存在する、請求項１に記載の方法。
【請求項９】
前記の乾燥ＭＰＣ及び／又はホエー・タンパク質調整ＭＰＣが、ＳＮＦを基準に少なくとも７０％のタンパク質含量をもつ、請求項８に記載の方法。
【請求項１０】
前記の乾燥ＭＰＣが、ＳＮＦを基準に少なくとも８５％のタンパク質含量をもつ、請求項９に記載の方法。
【請求項１１】
前記脂肪が、高脂肪クリーム、乳脂肪、無水乳脂肪、バター、植物油を含む油、他のあらゆる食用油、又はその組み合わせを含む、請求項１に記載の方法。
【請求項１２】
前記ステップ（ａ）で加えられる脂肪の量が、前記最終的な乳製品の３５％未満を構成するように計算される、請求項１又は１１に記載の方法。
【請求項１３】
前記ステップ（ｂ）において、前記ペーストが、水の添加によって水和され、そして１種類以上のより好適な食品グレードの酸の添加によって酸性化される、請求項１に記載の方法。
【請求項１４】
前記ステップ（ｂ）の混合物が、５．２〜５．６のｐＨに酸性化される、請求項１又は１３に記載の方法。
【請求項１５】
前記ステップ（ｃ）において、前記の酸性化された混合物が、７５〜９５℃の温度に加熱されて、そして低いせん断で混合される、請求項１に記載の方法。
【請求項１６】
前記ステップ（ｃ）の混合物が、８０〜９０℃に加熱される、請求項１５に記載の方法。
【請求項１７】
１以上のＧＲＡＳ成分が、ステップ（ａ）〜（ｃ）の１以上において加えられる、請求項１〜１６のいずれか１項に記載の方法。
【請求項１８】
前記ＧＲＡＳ成分が、非乳製品の安定化剤、乳化剤、天然又は合成調味料、シーズニング、塩、着色剤、スターチ、マルトデキストリン、米粉、水、ゴム、リパーゼ、プロテアーゼ、無機及び有機酸、構造タンパク質（大豆タンパク質又は小麦タンパク質）、抗菌剤、非乳製品の脂肪；醗酵及び／又は酵素由来の産物若しくは熟成チーズ、又はその混合物を含む乳製品の調味料、乳製品の脂肪、クリーム粉末、ＭＰＣ、あるいは原料を含む他のあらゆる乳製品タンパク質から成る群から選ばれる、請求項１７に記載の方法。
【請求項１９】
ステップ（ｃ）の後に追加のＭＰＣ、タンパク質調整ＭＰＣ、脂肪調整ＭＰＣ、及び／又はクリーム粉末を前記混合物に加え、そして７５〜８５℃で少なくとも１分間、追加の混合を実施するステップ（ｄ）をさらに含む、請求項１〜１８のいずれか１項に記載の方法。
【請求項２０】
前記の均一な塊が形成されるとすぐに、前記混合物が直接冷やされるか、又は冷される前に鋳型に移されて、最終的な乳製品を形成する、請求項１〜１９のいずれか１項に記載の方法。
【請求項２１】
前記最終的な乳製品が、チェダー、チェダー様チーズ、パルメザン、パルメザン様チーズ、エダム、エダム様チーズ、及び固体ブロック又はクランブル形態の他のあらゆるハード・チーズを含む群から選ばれるチーズ又はチーズ様産物である、請求項１〜２０のいずれか１項に記載の方法。
【請求項２２】
請求項１〜２１のいずれか１つの方法によって製造された乳製品。
【請求項２３】
チェダー、チェダー様チーズ、パルメザン、パルメザン様チーズ、エダム、エダム様チーズ、ゴーダ、ゴーダ様チーズ、及び固体ブロック又はクランブル形態の他のあらゆるハード・チーズを含む群から選ばれるチーズ又はチーズ様産物を含む、請求項２２に記載の乳製品。
【請求項２４】
請求項２２又は２３に記載の乳製品を含む食品。
【手続補正２】
【補正対象書類名】明細書
【補正対象項目名】００１０
【補正方法】変更
【補正の内容】
【００１０】
本発明の概要
第１の側面において、本願発明は、以下のステップ：
（ａ）  ＭＰＣ及び／又はホエー・タンパク質調整ＭＰＣと脂肪を一緒に混合して、脂肪で覆われた無脂固形分（ＳＮＦ）を基準に少なくとも６０％のタンパク質を含むＭＰＣ及び／又はホエー・タンパク質調整ＭＰＣのタンパク質粒子を含むペーストを形成させ；
（ｂ）  上記ペーストを水和及び酸性化して、約４．５〜６．０のｐＨを有する混合物を形成し；そして
（ｃ）  均一な塊を形成するまで上記混合物を加熱及び混合して、０．６〜３．０のタンパク質：水の比を有する乳製品を製造する、
を含む乳製品の製造工程を提供する。
【手続補正３】
【補正対象書類名】明細書
【補正対象項目名】００１１
【補正方法】変更
【補正の内容】
【００１１】
前記乳製品のタンパク質：水の比は、好ましくは０．７５〜３．０、より好ましくは１．０〜３．０、そして最も好ましくは１．５〜３．０である。
【手続補正書】
【提出日】平成16年9月21日(2004.9.21)
【手続補正１】
【補正対象書類名】特許請求の範囲
【補正対象項目名】全文
【補正方法】変更
【補正の内容】
【特許請求の範囲】
【請求項１】
異性体、プロドラッグ、互変異性体、薬学的に許容される塩、Ｎ−オキシド、又はそれらの立体異性体形態を含み、式Ｉによって表される構造を有する、化合物：
【化１】
2005511535.tif 000001
式中、Ｗは、Ｏ又はＮＲ”であり、
Ｘは、それぞれ個別に、Ｆ、Ｃｌ、Ｂｒ又はＩのようなハロゲンであり、
Ｙは、Ｈ又はＸであり、
Ｒ’は、それぞれ個別に、Ｈ、低級アルキル、又は金属対イオンであり、
Ｒ”は、それぞれ個別に、Ｈ又は低級アルキルであり、
Ｒ１は、Ｈ、Ｐ（＝Ｏ）（ＯＲ’）２、又はＭｎＱであり、
Ｒ2は、Ｒ１及びＲ２のうちの１つだけがＨであることを条件として、Ｈ又はＭｎＱであり、
Ｍは、それぞれ個別に、置換された、もしくは置換されていない、メチレン基、ＮＲ”、Ｏ、Ｓ、Ｓ（Ｏ）又はＳ（Ｏ２）であり、
ｎは、１〜５の整数であり、
Ｑは、３級アミノ置換基である。
【請求項２】
Ｘは、すべての場合においてＣｌである、請求項１に記載の化合物。
【請求項３】
Ｒ”は、Ｈである、請求項１に記載の化合物。
【請求項４】
Ｍは、それぞれ個別に、ＣＨ２、又はＷに付着している場合、ＣＨ２、Ｓ（Ｏ２）、Ｃ（＝Ｓ）、もしくはＣ（＝Ｏ）である、請求項１に記載の化合物。
【請求項５】
ｎは、Ｒ１の場合は２〜４の整数であり、Ｒ２の場合は１〜３の整数である、請求項１に記載の化合物。
【請求項６】
Ｑは、ジアルキルアミンである、請求項１に記載の化合物。
【請求項７】
Ｑは、置換された、もしくは置換されていない窒素含有複素環である、請求項１に記載の化合物。
【請求項８】
前記化合物は、下記式Ａ、Ｂ、Ｃ及びＤから選択される、請求項１に記載の化合物。
【化２】
2005511535.tif 000002
【請求項９】
薬学的に許容される添加剤及び請求項１に記載の化合物を含む、薬学的組成物。
【請求項１０】
請求項１に記載の化合物を動物に投与することを含む、高増殖性障害の治療方法。
【請求項１１】
細胞の増殖を阻害する方法であって、該細胞を請求項１に記載の化合物に接触させることを含む方法。
【請求項１２】
請求項１に記載の化合物を哺乳動物に投与することを含む、ウイルス感染の治療方法。
【請求項１３】
前記ウイルス感染がヒト免疫不全ウイルス（ＨＩＶ）によって引き起こされる、請求項１２に記載の方法。
【請求項１４】
１以上の化学療法又は放射線治療と合わせて請求項１に記載の化合物を哺乳動物に投与することを含む、化学療法又は放射線治療によって誘発された脱毛症を治療又は予防する方法。
【請求項１５】
異性体、プロドラッグ、互変異性体、薬学的に許容される塩、Ｎ−オキシド、又はそれらの立体異性体形態を含み、式ＩＩによって表される、化合物：
【化３】
2005511535.tif 000003
式中、Ｗ及びＺは、Ｏ又はＮＲ”であり、
Ｒ’は、それぞれ個別に、Ｈ、低級アルキル、又は金属対イオンであり、
Ｒ”は、それぞれ個別に、Ｈ又は低級アルキルであり、
Ｒ5は、Ｈ、Ｐ（＝Ｏ）（ＯＲ’）２、又はＭｎＱであり、
Ｒ６は、Ｒ５及びＲ６のうちの１つだけがＨであることを条件として、Ｈ又はＭｎＱであり、
Ｒ７は、それぞれ個別に、ハロゲン化水素、メチルなどの低級アルキル、又は低級アルコキシルであり、
Ｍは、それぞれ個別に、置換された、もしくは置換されていない、メチレン基、ＮＲ”、Ｏ、Ｓ、Ｃ（＝Ｓ）、Ｃ（＝Ｏ）、Ｓ（Ｏ）又はＳ（Ｏ２）であり、
ｎは、１〜５の整数であり、
Ｑは、３級アミノ置換基である。
【請求項１６】
Ｒ”は、Ｈである、請求項１５に記載の化合物。
【請求項１７】
Ｍは、それぞれ個別に、ＣＨ２、又はＷに付着している場合、ＣＨ２、Ｓ（Ｏ２）、Ｃ（＝Ｓ）、又はＣ（＝Ｏ）である、請求項１５に記載の化合物。
【請求項１８】
ｎは、Ｒ５の場合は２〜４の整数であり、Ｒ６の場合は１〜３の整数である、請求項１５に記載の化合物。
【請求項１９】
Ｑは、ジアルキルアミンである、請求項１５に記載の化合物。
【請求項２０】
Ｑは、置換された、もしくは置換されていない窒素含有複素環である、請求項１５に記載の化合物。
【請求項２１】
前記化合物は、下記式Ｅ〜Ｑより選択される、請求項１５に記載の化合物。
【化４】
2005511535.tif 000004
【請求項２２】
薬学的に許容される添加剤及び請求項１５に記載の化合物を含む、薬学的組成物。
【請求項２３】
請求項１５に記載の化合物を動物に投与することを含む、高増殖性障害の治療方法。
【請求項２４】
細胞の増殖を阻害する方法であって、該細胞を請求項１５に記載の化合物に接触させることを含む方法。
【請求項２５】
請求項１５に記載された化合物を哺乳動物に投与することを含む、ウイルス感染の治療方法。
【請求項２６】
前記ウイルス感染がヒト免疫不全ウイルス（ＨＩＶ）によって引き起こされる、請求項２５に記載の方法。
【請求項２７】
１以上の化学療法又は放射線治療と合わせて請求項１５に記載の化合物を哺乳動物に投与することを含む、化学療法又は放射線治療によって誘発された脱毛症を治療又は予防する方法。
【手続補正書】
【提出日】平成16年9月15日(2004.9.15)
【手続補正１】
【補正対象書類名】特許請求の範囲
【補正対象項目名】全文
【補正方法】変更
【補正の内容】
【特許請求の範囲】
【請求項１】
光線療法と併用して眼球血管新生病を治療するための医薬の製造における抗ＶＥＧＦアプタマーの使用。
【請求項２】
光線療法が光力学療法（ＰＤＴ）を含む、請求項１に記載の使用。
【請求項３】
光線療法が熱レーザー光凝固を含む、請求項１に記載の使用。
【請求項４】
血管新生病が、虚血性網膜症、眼内血管新生、加齢黄斑変性、角膜血管新生、網膜血管新生、脈絡膜血管新生、糖尿病性黄斑浮腫、糖尿病性網膜虚血、糖尿病性網膜浮腫、および増殖性糖尿病網膜症からなる群から選択される、請求項１に記載の使用。
【請求項５】
抗ＶＥＧＦアプタマーが、血管内皮細胞増殖因子（ＶＥＧＦ）に対する核酸リガンドを含む、請求項１に記載の使用。
【請求項６】
ＶＥＧＦ核酸リガンドがリボ核酸を含む、請求項５に記載の使用。
【請求項７】
ＶＥＧＦ核酸リガンドがデオキシリボ核酸を含む、請求項５に記載の使用。
【請求項８】
ＶＥＧＦ核酸リガンドが修飾ヌクレオチドを含む、請求項５に記載の使用。
【請求項９】
ＶＥＧＦ核酸リガンドが２’Ｆ修飾ヌクレオチドを含む、請求項８に記載の使用。
【請求項１０】
ＶＥＧＦ核酸リガンドがポリアルキレングリコールを含む、請求項９に記載の使用。
【請求項１１】
ポリアルキレングリコールがポリエチレングリコール（ＰＥＧ）である、請求項１０に記載の使用。
【請求項１２】
ＶＥＧＦ核酸リガンドがリボ核酸およびデオキシリボ核酸を含む、請求項５に記載の使用。
【請求項１３】
ＶＥＧＦ核酸リガンドが２’−Ｏ−メチル（２’−ＯＭｅ）修飾ヌクレオチドを含む、請求項８に記載の使用。
【請求項１４】
ＶＥＧＦ核酸リガンドが、エンドヌクレアーゼまたはエクソヌクレアーゼの核酸リガンドに対する活性を非修飾核酸リガンドと比べて低下させる成分によって、該リガンドの結合親和性に悪影響を与えずに修飾されている、請求項８に記載の使用。
【請求項１５】
成分がチオリン酸を含む、請求項１４に記載の使用。
【請求項１６】
光力学療法（ＰＤＴ）が、
（ｉ）患者の眼の組織に光増感剤を送達するステップ、および
（ii）該光増感剤によって吸収される波長を有する光に、眼の組織中の血管新生を阻害するのに充分な時間および強度で、光増感剤を曝すステップ
を含む、請求項２に記載の使用。
【請求項１７】
光増感剤が、ベンゾポルフィリン誘導体（ＢＰＤ）、モノアスパルチルクロリンｅ６、フタロシアニン亜鉛、エチオプルプリンスズ、テトラヒドロキシテトラフェニルポルフィリン、およびポルフィマーナトリウム（ＰＨＯＴＯＦＲＩＮ(R)）、およびグリーンポル
フィリンからなる群から選択される、請求項１６に記載の使用。
【請求項１８】
（ａ）有効量の抗ＶＥＧＦアプタマー、および
（ｂ）望ましくない血管新生の発現を低下または防止することができる第２の化合物
を含む、患者の眼球血管新生病を治療するための薬剤。
【請求項１９】
第２の化合物がＶＥＧＦ抗体を含む、請求項１８に記載の薬剤。
【請求項２０】
眼内の異常な血管を破壊する療法と併用して眼球血管新生病を治療するための医薬の製造における、眼球血管新生の発現を阻害する抗ＶＥＧＦアプタマーの使用。
【請求項２１】
療法が光力学療法（ＰＤＴ）である、請求項２０に記載の使用。
【請求項２２】
抗ＶＥＧＦアプタマーの用量範囲が一つの眼当り０.３mg〜３mgである、請求項２０に記載の使用。
【手続補正書】
【提出日】平成16年7月7日(2004.7.7)
【手続補正１】
【補正対象書類名】特許請求の範囲
【補正対象項目名】全文
【補正方法】変更
【補正の内容】
【特許請求の範囲】
【請求項１】
子宮律動異常に関連する、骨盤痛を処置もしくは予防するための、または不妊症を処置もしくは改善するための薬学的膣用組成物であって、該組成物は、治療有効量の抗律動異常治療剤および薬学的に許容される徐放性(extended-release)生体接着性(bioadhesive)担体を包含する。
【請求項２】
担体が、生体接着性、水膨潤性(water-swellable)、水不溶性の架橋したポリカルボン酸ポリマーである、請求項１に記載の化合物。
【請求項３】
ポリマーがポリカルボフィル(polycarbophil)を含む、請求項２に記載の組成物。
【請求項４】
抗律動異常治療剤が、抗冠不整脈剤、局所麻酔薬、カルシウムチャネルブロッカー、オータコイド剤(autocoid agents)、プロスタグランジンブロッカー、非ステロイド抗炎症薬、ＣＯＸインヒビター、トロンボキサンシンターゼインヒビター、およびロイコトリエンインヒビターからなる群より選択される１つ以上の薬剤を包含する、請求項２に記載の組成物。
【請求項５】
抗律動異常治療剤が、コカイン、クロロプロカイン、テトラカイン、プリロカイン、メピバカイン、ブイピバカイン(buipivacaine)、レボブピバカイン、アルチカイン(articaine)、ロピバカイン(ropivacaine)、フェノール、ベンゾカイン、プラモキシン、ジクロニン、エチドカイン、プロカイン、プロパラカイン、ジブカイン、プラモキシン、リドカイン、フェニトイン、メキシレチン、トカイニド、プロカインアミド、キニジン、ジソピラミド、モリシジン(moricizine)、プロパフェノン、フレカイニド、ソタロール、ブレチリウム(bretyllium)、アミオダロン、ベラパミル、ジルチアゼム、ジゴキシン、ジギトキシン、アデノシン、プロプラノロール、エスモロール、Ｎ−アセチルプロカインアミド、アムロジピン、ベプリジル(bepridil)、ジルチアゼム、フェロジピン、イスラジピン(isradipine)、ニカルジピン、ニフェジピン、ニモジピン、ベラパミル、ピルマグレル(pirmagrel)、ダゾキシベン(dazoxiben)、ジロートン(zileuton)、ジクロフェナク、エトドラク、フェノプロフェン、ルビプロフェン(lurbiprofen)、イブプロフェン、インドメタシン、ケトプロフェン、ケトロラク、メクロフェナメート、フェナム酸(fenamic acid)、メロキシカム、ナブメトン、ナプロキシン(naproxin)、オキサプロジン、ピロキシカム、スリンダク、トルメチン、アスピリン、セレコキシブ(celecoxib)、ロフェコキシブ(rofecoxib)およびヴァルデコキシブからなる群より選択される１つ以上の薬剤を含む、請求項３に記載の組成物。
【請求項６】
治療剤がリドカインを含む、請求項２に記載の組成物。
【請求項７】
治療剤が約２重量％〜１０重量％の濃度のリドカインである、請求項５に記載の組成物。
【請求項８】
約１〜１．５ｇの組成物の単回用量が、投与後少なくとも約２４時間にわたって約２０〜１５０ｍｇのリドカインを放出するように、組成物が調製される、請求項５に記載の組成物。
【請求項９】
単回用量が少なくとも約４８〜７２時間にわたって治療剤を放出するように、組成物が調製される、請求項８に記載の組成物。
【請求項１０】
子宮律動異常に関連する、骨盤痛を処置もしくは予防するための、または不妊症を処置もしくは改善するための薬学的膣用組成物であって、該組成物は、治療有効量の局所麻酔治療剤および薬学的に許容される徐放性生体接着性担体を包含する。
【請求項１１】
担体が、生体接着性、水膨潤性(water-swellable)、水不溶性の架橋したポリカルボン酸ポリマーである、請求項１０に記載の化合物。
【請求項１２】
治療剤がリドカインである、請求項１１に記載の組成物。
【請求項１３】
ポリマーがポリカルボフィルである、請求項１２に記載の組成物。
【請求項１４】
子宮律動異常を処置または予防するための薬学的膣用組成物であって、該組成物は、薬学的に許容される徐放性生体接着性担体、ならびに抗冠不整脈剤、局所麻酔薬、カルシウムチャネルブロッカー、オータコイド、プロスタグランジンブロッカー、非ステロイド抗炎症薬、ＣＯＸインヒビター、トロンボキサンシンターゼインヒビター、およびロイコトリエンインヒビターからなる群より選択される１つ以上の治療剤を包含する。
【請求項１５】
担体が、生体接着性、水膨潤性、水不溶性の架橋したポリカルボン酸ポリマー、ならびに局所麻酔薬、ＮＳＡＩＤＳおよびカルシウムチャネルブロッカーからなる群より選択される１つ以上の治療剤を包含する、請求項１４に記載の組成物。
【請求項１６】
ポリマーがポリカルボフィルであり、１つ以上の治療剤がリドカインを含む、請求項１５に記載の組成物。
【請求項１７】
骨盤痛の処置もしくは予防における、または不妊症の改善における膣投与のための薬剤であって、該薬剤は、抗律動異常治療剤および薬学的に許容される徐放性生体接着性担体を含み、ここで、疼痛または不妊症が子宮律動異常に関連する。
【請求項１８】
骨盤痛の処置もしくは予防における、または不妊症の改善における膣投与のための薬剤であって、該薬剤は、局所麻酔治療剤および薬学的に許容される徐放性生体接着性担体を含み、ここで、疼痛または不妊症が子宮律動異常に関連する。
【手続補正書】
【提出日】平成16年7月13日(2004.7.13)
【手続補正１】
【補正対象書類名】特許請求の範囲
【補正対象項目名】全文
【補正方法】変更
【補正の内容】
【特許請求の範囲】
【請求項１】
生きている細胞での細胞損傷の予防を目的とする難溶解性物質の水溶液を製造するためのエトキシル化フィトステロールまたはフィトスタノールの使用。
【請求項２】
ステロールまたはスタノールに結合したエトキシレート鎖が５〜１００のエチレングリコール単位から構成される、請求項１記載の使用。
【請求項３】
ステロールまたはスタノールに結合したエトキシレート鎖が１０〜５０のエチレングリコール単位から構成される、請求項２記載の使用。
【請求項４】
フィトステロールが、シトステロール、カンペステロール、スチグマステロール、ブラッシカステロール(brassicasterol)、アベナステロール(avenasterol)、エルゴステロールおよびそれらの混合物から成る群から選択される、請求項１〜３のいずれか１項記載の使用。
【請求項５】
フィトスタノールが、シトスタノール、カンペスタノール、スチグマスタノール、ブラッシカスタノール(brassicastanol)、アベナスタノール(avenastanol)、エルゴスタノールおよびそれらの混合物から成る群から選択される、請求項１〜３のいずれか１項記載の使用。
【請求項６】
水溶液に難溶解性である物質が、薬剤、栄養補助食品、および別の医薬用物質である、請求項１〜３のいずれか１項記載の使用。
【請求項７】
水溶液に難溶解性である物質が薬剤である、請求項６記載の使用。
【請求項８】
水溶液に難溶解性である物質が、フェロジピン、プロブコール、オキサゼパム、グリベンクラミド、トルブタミドまたはグリセオフルビンである、請求項７記載の使用。
【請求項９】
水溶液に難溶解性である物質が、栄養補助食品または別の医薬用物質である、請求項６記載の使用。
【請求項１０】
水溶液に難溶解性である物質が、ビタミン、脂質、タンパク質、ペプチド、脂肪酸、酸化防止剤または植物または動物からの抽出物である、請求項９記載の使用。
【請求項１１】
生きている細胞の損傷が細胞の溶解または血液中での溶血を含むものである、請求項１記載の使用。
【請求項１２】
エトキシル化フィトステロールまたはフィトスタノールが単なる可溶化剤として使用される、請求項１〜１１のいずれか１項記載の使用。
【請求項１３】
水に難溶解性である少なくとも１種の物質および少なくとも１種のエトキシル化フィトステロールまたはフィトスタノールを含む、生きている細胞に損傷を与える可能性が低い水性製剤。
【請求項１４】
エトキシル化フィトステロールまたはフィトスタノールの濃度が１０×１０−６〜１００×１０−３Ｍである、請求項１３記載の製剤。
【請求項１５】
水に難溶解性である少なくとも１種の物質および少なくとも１種のエトキシル化フィトステロールまたはフィトスタノールを含む製剤を、ヒトを含む哺乳類に投与することによる、生きている細胞における細胞損傷の予防方法。
【手続補正書】
【提出日】平成16年8月2日(2004.8.2)
【手続補正１】
【補正対象書類名】特許請求の範囲
【補正対象項目名】全文
【補正方法】変更
【補正の内容】
【特許請求の範囲】
【請求項１】
ヒトを含む哺乳動物における泌尿器障害を治療するための医薬組成物であって、吸入可能又は吹送可能な製剤の形態であり、かつ、吸入又は吹送に許容される担体又はそのための希釈剤と共に、治療有効量の抗ムスカリン剤、又はその溶媒和物若しくはプロドラッグを含む前記医薬組成物。
【請求項２】
前記障害が、不安定膀胱又は過活動膀胱である、請求項１に記載の組成物。
【請求項３】
前記障害が尿失禁である、請求項１に記載の組成物。
【請求項４】
エアゾール製剤である、請求項１に記載の組成物。
【請求項５】
散剤である、請求項１に記載の組成物。
【請求項６】
前記抗ムスカリン剤、又はその溶媒和物若しくはプロドラッグが、３，３−ジフェニルプロピルアミン、及びアリールシクロアルカン・カルボン酸エステル、並びに吸入又は吹送に許容されるその塩から成る群から選ばれる、請求項１〜５のいずれか１項に記載の組成物。
【請求項７】
前記抗ムスカリン剤が、トルテロジン、ヒドロキシトルテロジン、及び２−（ジイソプロピルアミノ）エチル−１−フェニルシクロペンタン・カルボキシラート、並びに吸入又は吹送に許容されるその塩から成る群から選ばれる、請求項６に記載の組成物。
【請求項８】
前記抗ムスカリン剤が、トルテロジン、及び吸入又は吹送に許容されるその塩から成る群から選ばれる、請求項７に記載の組成物。
【請求項９】
前記抗ムスカリン剤が、トルテロジン及びＬ−酒石酸トルテロジンから成る群から選ばれる、請求項８に記載の組成物。
【請求項１０】
前記抗ムスカリン剤が、約０．０５ｍｇ〜約１２ｍｇの量で存在する、請求項１に記載の組成物。
【請求項１１】
前記抗ムスカリン剤が、約０．１ｍｇ〜約６ｍｇの量で存在する、請求項１に記載の組成物。
【請求項１２】
前記抗ムスカリン剤が、約０．２ｍｇ〜約５ｍｇの量で存在する、請求項１に記載の組成物。
【誤訳訂正書】
【提出日】平成16年9月6日(2004.9.6)
【誤訳訂正１】
【訂正対象書類名】明細書
【訂正対象項目名】発明の名称
【訂正方法】変更
【訂正の内容】
【発明の名称】ジペプチジルペプチダーゼＩＶの阻害剤
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
下記式（Ｉ）：
【化１】
2005511510.tif 000001
（式中、
Ｒ１およびＲ２は、同じであり、または異なり、且つ、炭素原子を２個から１２個有するアルキル、アルケニル、アルキニル、シクロアルキル、シクロアルキルアルキルまたはアルコキシアルキルを、互いに無関係に表し、ならびに
Ｒ３、Ｒ４、Ｒ５およびＲ６は、同じであり、または異なり、且つ、水素、ハロゲン、シアノ、ニトロ、アルキル、アルコキシ、アルキルチオ、アルキルスルフィニル、アルキルスルホニル、アルケニル、アルケニルオキシ、ハロアルキル、ハロアルコキシ、ハロアルキルチオ、ハロアルキルスルフィニル、ハロアルキルスルホニル、ハロアルケニルまたはハロアルケニルオキシ、ヒドロキシイミノアルキル、アルコキシイミノアルキルまたはシクロアルキルを互いに無関係に表し、
この場合、ラジカルＲ３、Ｒ４、Ｒ５およびＲ６のうちの少なくとも一つは、水素とは異なる）
の化合物。
【請求項２】
ａ）下記式（ＩＩ）：
【化２】
2005511510.tif 000002
（この式中、Ｒ３、Ｒ４、Ｒ５およびＲ６は、請求項１において定義したとおりである）
のフタラジンジオンを、下記式（ＩＩＩ）：
【化３】
2005511510.tif 000003
（この式中、
Ｒは、請求項１においてＲ１およびＲ２に与えた意味を有し、ならびに
Ｘは、脱離基、好ましくは、ハロゲン、アルキルスルホニルまたはアリールスルホニルを表す）
のアルキル誘導体と、適切な場合には酸受容体の存在下で、および適切な場合には希釈剤の存在下で、反応させること、または
ｂ）下記式（ＩＶ）：
【化４】
2005511510.tif 000004
（この式中、Ｒ２、Ｒ３、Ｒ４、Ｒ５およびＲ６は、請求項１において定義したとおりである）
のアルキルフタラジノンを、下記式（ＩＩＩ）：
【化５】
2005511510.tif 000005
（この式中、
Ｒは、請求項１においてＲ１に与えた意味を有し、および
Ｘは、請求項１において定義したとおりである）
のアルキル誘導体と、適切な場合には酸受容体の存在下で、および適切な場合には希釈剤の存在下で、反応させること、または
ｃ）下記式（Ｖ）：
【化６】
2005511510.tif 000006
（この式中、Ｒ１、Ｒ３、Ｒ４、Ｒ５およびＲ６は、請求項１において定義したとおりである）
のヒドロキシフタラジノンを、下記式（ＩＩＩ）：
【化７】
2005511510.tif 000007
（この式中、
Ｒは、請求項１においてＲ２に与えた意味を有し、および
Ｘは、請求項１において定義したとおりである）
のアルキル誘導体と、適切な場合には酸受容体の存在下で、および適切な場合には希釈剤の存在下で、反応させること
を特徴とする、請求項１に記載の式（Ｉ）の化合物の調製法。
【請求項３】
下記式（ＩＶ）：
【化８】
2005511510.tif 000008
（式中、Ｒ２、Ｒ３、Ｒ４、Ｒ５およびＲ６は、請求項１において与えた意味のうちの一つを有する）
の化合物。
【請求項４】
ｄ）下記式（ＩＩ）：
【化９】
2005511510.tif 000009
（式中、Ｒ３、Ｒ４、Ｒ５およびＲ６は、請求項１において定義したとおりである）
のフタラジンジオンを、下記式（ＩＩＩ）：
【化１０】
2005511510.tif 000010
（この式中、
Ｒは、請求項１においてＲ２に与えた意味を有し、および
Ｘは、脱離基、好ましくは、ハロゲン、アルキルスルホニルまたはアリールスルホニルを表す）
のアルキル誘導体と、適切な場合には酸受容体の存在下で、および適切な場合には希釈剤の存在下で、反応させることを特徴とする、請求項３に記載の式（ＩＶ）の化合物の調製法。
【請求項５】
下記式（Ｖ）：
【化１１】
2005511510.tif 000011
（式中、Ｒ１、Ｒ３、Ｒ４、Ｒ５およびＲ６は、請求項１において与えた意味のうちの一つを有する）
の化合物。
【請求項６】
ｅ）下記式（ＶＩ）：
【化１２】
2005511510.tif 000012
（式中、Ｒ３、Ｒ４、Ｒ５およびＲ６は、請求項１において定義したとおりである）
の無水フタル酸を、下記式（ＶＩＩ）：
【化１３】
2005511510.tif 000013
（式中、Ｒ１は、請求項１において定義したとおりである）
のヒドラジン誘導体またはその塩と、適切な場合は希釈剤の存在下で、および適切な場合には塩の存在下で、反応させることを特徴とする、請求項５に記載の式（Ｖ）の化合物の調製法。
【請求項７】
請求項１に記載の式（Ｉ）または請求項３に記載の式（ＩＶ）または請求項５に記載の式（Ｖ）の化合物を少なくとも一つ含むことを特徴とする有害生物防除剤。
【請求項８】
請求項１に記載の式（Ｉ）または請求項３に記載の式（ＩＶ）または請求項５に記載の式（Ｖ）の化合物を、有害生物および／またはそれらの生息場所に作用させることを特徴とする有害生物防除法。
【手続補正書】
【提出日】平成17年1月28日(2005.1.28)
【手続補正１】
【補正対象書類名】明細書
【補正対象項目名】００２９
【補正方法】変更
【補正の内容】
【００２９】
【化１】
2001526901.tif 000001
（ＳＥＱ  ＩＤ  ＮＯ：１）
【手続補正２】
【補正対象書類名】明細書
【補正対象項目名】００５７
【補正方法】変更
【補正の内容】
【００５７】
【実施例】
実施例１  修飾されたラブドウイルスの作成
組換えＶＳＶ  ｃＤＮＡの構築。本実施例においてパラミキソウイルスＳＶ５のＦタンパク質を発現する組換えＶＳＶを構築するために使用した方法の図は、図５において示す。切断型細胞質領域を有するＧタンパク質をコードする全長ＶＳＶ  ｃＤＮＡは、ｐＶＳＶＦＬ（＋）INJGにおける野生型Ｇタンパク質をコードする遺伝子を置き換えることにより作成された（Ｎ．  Ｌａｗｓｏｎら、Ｐｒｏｃ．  Ｎａｔ’ｌ  Ａｃａｄ．  Ｓｃｉ．  ＵＳＡ  （１９９５）  ９２：４４７７−４４８１）。ＣＴ−１の他のバージョンもまた構築された、これは３つの継続した停止コドンを有し、細胞質尾部コード領域のＮｈｅＩ認識部除去の残りの部分を有した。この変異体はＣＴ−１ＴＳ（ＣＴ−１  Ｔｒｉｐｌｅ
Ｓｔｏｐ）と呼称され、ヌクレオチド９７５−９９７（ＶＳＶ−インディアナの完全なゲノム配列は、ＧｅｎＢａｎｋ  ＃Ｊ０２４２８を参照）に相補的なセンス鎖プライマー（ＭＷ−３６）を用いた標準的ＰＣＲ仲介型変異導入法により作成された、このヌクレオチドはＧタンパク質ｃＤＮＡにおけるＫｐｎＩ認識部の５’であり、アンチセンスオリゴヌクレオチド（５’-TATATＧＣＴＡＧＣＴＴＡＴＴＡＴＴＡTCGGAGAACCAAGAATAGTCCAATG - ３’）（ＳＥＱ  ＩＤ  ＮＯ：２）である。導入された３つの停止コドンは、太字で示し、クローニングに用いたＮｈｅＩ認識部は下線で示した。
【手続補正３】
【補正対象書類名】明細書
【補正対象項目名】００５９
【補正方法】変更
【補正の内容】
【００５９】
ＨＡＧＳ構築物（ＨＡタグ付きＧステム）はＶＳＶ  Ｇタンパク質の欠損型をコードし、ｐＶＳＶＦＬ（＋）−２のＧタンパク質遺伝子の５’非翻訳領域におけるＭｌｕＩ認識部に重なるプライマー及び、アンチセンスオリゴヌクレオチド（５’-AGGATGＴＴＣＧＡＡＡＧＣＧＴＡＡＴＣＴＧＧＴＡＣＡＴＣＡＴＡＣＧＧＡＴＡｃｔｔｇｃａａｔｔｃａｃｃｃｃｔｔａｇ−３’）（ＳＥＱ  ＩＤ  ＮＯ：３）を用いたＰＣＲ仲介型変異導入により作成された、これはＶＳＶ  Ｇタンパク質における１２８０部のＮｓｐＶ認識部（下線）に重なり、Ｇタンパク質のシグナルペプチド（小文字）とＨＡ抗原決定基（太字）に相補的な配列を融合し、Ｇタンパク質外部領域の膜近位「ステム」領域が続いた。同様の構築物（Ｇステム）もまた、ＨＡ抗原決定基を含んでいないが、適切な変異導入プライマーを使用することにより作成された。
【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】  微生物の検出または計数のための培養装置であって、前記装置が液体保持ディスクを有する基板を具備し、前記基板が前記液体保持ディスクに対して疎水性であり、前記ディスクが微生物の増殖のための培地を備え、前記ディスクが液体保持の微小体積を備えることを特徴とする培養装置。
【請求項２】  前記ディスクがセルロース系誘導体、ポリオレフィン、ポリアミドおよびポリエステルからなる群から選択された材料の少なくとも一部から構成されることを特徴とする、請求項１記載の培養装置。
【請求項３】  前記ディスクが、αセルロース、レーヨン及びポリ乳酸から選択された材料の少なくとも一部から構成されることを特徴とする、請求項２記載の培養装置。
【請求項４】  前記ディスクのそれぞれが、約１マイクロリットル乃至約２マイクロリットルの液体保持体積を有することを特徴とする、請求項１記載の培養装置。
【請求項５】  前記ディスクに指示薬物質を備える、請求項１記載の培養装置。
【請求項６】  水性の液体試料を個別の微小体積に分割するための方法であって、
ａ）  微生物を培養するための請求項１に記載したような装置を提供し、前記ディスクが分析面を備え、前記分析面が親水性液体保持ディスクおよび前記ディスクの間に疎水性陸領域を具備し、各前記ディスクが液体保持の微小体積および微生物の増殖のための培地を備えることと、
ｂ）  前記液体試料を前記分析面に接触させ、前記液体試料が前記親水性液体保持ディスクに分割されるようになっていることと、を備えることを特徴とする方法。
【手続補正書】
【提出日】平成17年4月22日(2005.4.22)
【手続補正１】
【補正対象書類名】明細書
【補正対象項目名】請求項１
【補正方法】変更
【補正の内容】
【請求項１】 初回通過に効果的なシトラス誘導物質から光毒性フロクマリンを処理及び選択的に除去する方法であって、少なくとも１種のＣ2 〜Ｃ4 アルコールと水と随意に塩基との混合物で随意に４０〜１２０℃にて前記シトラス誘導物質を抽出する段階を含み、前記抽出後に前記初回通過に効果的なシトラス誘導物質が抗初回通過活性を維持する該方法。
【手続補正２】
【補正対象書類名】明細書
【補正対象項目名】請求項４
【補正方法】変更
【補正の内容】
【請求項４】内部の光毒性フロクマリンの量を減少させるために請求項１に記載の方法により抽出した初回通過に効果的なシトラス誘導物質。
【手続補正３】
【補正対象書類名】明細書
【補正対象項目名】請求項７
【補正方法】変更
【補正の内容】
【請求項７】実質的に純粋な式Ｉ〜ＩＶの化合物：
【化１】
2001526177.tif 000001
〔上記の各構造の式中、Ｒは独立にＨ又は随意に置換されたＣ1 〜Ｃ15アルキル基であり、
Ｌは随意に置換されたＣ1 〜Ｃ15線状又は分岐鎖、飽和、モノ不飽和又はポリ不飽和アルキル基であって、随意に１又は複数の非隣接硫黄又は酸素原子により中断し、随意に一方又は両方の末端が酸素により封止されているアルキル基であり、
ＨＡｒは随意に置換されたＣ6 〜Ｃ24芳香族基又はＮ、Ｏ、Ｓ及びＰからなる群から選択された１又は複数の環原子を随意に含むヘテロ芳香族基であり、Ｅは−ＯＨ、−ＣＯＯＨ、−ＣＯＯＲ（ここでＲは上に定義した）又は随意に置換されたＣ1 〜Ｃ8 線状又は分岐鎖、飽和、モノ不飽和又はポリ不飽和アルキル基であって、随意に１又は複数の非隣接硫黄又は酸素原子により中断したアルキル基、又はＥは、Ｃ3 〜Ｃ8 の随意に置換された環状飽和、モノ不飽和又はポリ不飽和アルキル基であって、随意に１又は複数の非隣接酸素又は硫黄原子により中断したアルキル基、又はＥは随意に置換されたＨＡｒである〕。
【手続補正書】
【提出日】平成15年11月10日(2003.11.10)
【手続補正１】
【補正対象書類名】明細書
【補正対象項目名】請求項２
【補正方法】変更
【補正の内容】
【請求項２】
さらなる精製に有用な粗サケゾナーゼの調製のための、請求項１に記載の方法であって、２Ｍ、４Ｍ、または８Ｍの濃度まで固体尿素を添加しての前記孵化液の処理工程と、１６，０００ｇでの２×１５分の遠心分離にこの混合物を供する工程とを含む、方法。